(57)【要約】【課題】高い座面にして座ることができるスツール機能付きバッグを得る。【解決手段】スツール機能付きバッグ１は、内部空間にアクセスするチャック開閉式出し入れ口２を設けた横長大表面を表側面３Ａとするほぼ平行六面体のバッグ本体３と、バッグ本体の各稜辺に掛合してバッグ本体を固定保持するようパイプを接ぎ合わせてなる平行六面体の枠体４と、平行六面体を縦長の縦置き状態にした上面側に関し、バッグ本体の表側面３Ａおよび裏側面３Ｂのそれぞれの矩形枠部分４Ａ，４Ｂに対して段階的に抜き差し可能な１対のＵ字状インサート６と、表裏１対のＵ字状インサート間に張り渡す座面手段７と、抜き差しの各段階においてＵ字状インサート６を矩形枠部分４Ａ，４Ｂに釈放自在にロックするロック手段１０とを有する。好適には、バッグ本体の厚さ方向の短い４辺の枠体部分４Ｃを、それぞれパイプターンバックル形式にする。【選択図】図１
0003106076.tif 000002
【実用新案登録請求の範囲】
【請求項１】
内部空間にアクセスするチャック開閉式出し入れ口を設けた横長大表面を表側面とするほぼ平行六面体のバッグ本体と、
このバッグ本体の各稜辺に掛合してバッグ本体を固定保持するようパイプを接ぎ合わせてなる平行六面体の枠体と、
平行六面体を縦長の縦置き状態にした上面側に関し、バッグ本体の表側面および裏側面のそれぞれの矩形枠部分に対して段階的に抜き差し可能な１対のＵ字状インサートと、
前記表裏１対のＵ字状インサート間に張り渡す座面手段と、
抜き差しの各段階において前記Ｕ字状インサートを矩形枠部分に釈放自在にロックするロック手段と
よりなることを特徴とするスツール機能付きバッグ。
【請求項２】
前記バッグ本体の厚さ方向の短い４辺の枠体部分を、それぞれパイプターンバックル形式にした請求項１記載のスツール機能付きバッグ。
【請求項３】
前記裏側矩形枠部分のＵ字状インサートの抜き差し側とは反対側のコーナー部分に折り畳み式キャスター手段を設けた請求項１または２記載のスツール機能付きバッグ。
【考案の詳細な説明】
【技術分野】
【０００１】
本考案は、スツール機能付きバッグに関するものである。
【背景技術】
【０００２】
従来のこのようなバッグとしては、バッグ裏側面に折り畳み式の椅子を設けたバッグがある。（例えば、特許文献１および特許文献２参照。）
【特許文献１】特開平７‐２３１８０４号公報
【特許文献２】特開平９‐  ２８４３８号公報
【考案の開示】
【考案が解決しようとする課題】
【０００３】
しかし、従来のこのような椅子付きバッグは、バッグ裏側面に折り畳み式の椅子が設けられているため、椅子を展開して座る場合に、座面が低くて、大人のひとにとっては、股関節を深く折り曲げる必要があり、またこのような姿勢だと腹部を強く圧迫する。特に、肥満体の人にとっては、このような椅子に座るのは辛い。また、椅子を展開するため幅をとり、かつ椅子の組立てに多少の時間がかかる。
【０００４】
本考案の目的は、高い座面にして座ることができ、幅をとることなくかつワンタッチで組立て可能なスツール機能付きバッグを得るにある。
【課題を解決するための手段】
【０００５】
この目的を達成するため、本考案スツール機能付きバッグは、
内部空間にアクセスするチャック開閉式出し入れ口を設けた横長大表面を表側面とするほぼ平行六面体のバッグ本体と、
このバッグ本体の各稜辺に掛合してバッグ本体を固定保持するようパイプを接ぎ合わせてなる平行六面体の枠体と、
平行六面体を縦長の縦置き状態にした上面側に関し、バッグ本体の表側面および裏側面のそれぞれの矩形枠部分に対して段階的に抜き差し可能な１対のＵ字状インサートと、
前記表裏１対のＵ字状インサート間に張り渡す座面手段と、
抜き差しの各段階において前記Ｕ字状インサートを矩形枠部分に釈放自在にロックするロック手段と
よりなることを特徴とする。
【考案の効果】
【０００６】
本考案スツール機能付きバッグによれば、平行六面体を縦長の縦置き状態にし、更に、表裏１対のＵ字状インサートを引き延ばし、これら１対のＵ字状インサート間に張り渡した座面手段上に座るため、股関節を深く折り曲げることなく、また腹部を強く圧迫することもなく、楽に座ることができる。
【０００７】
さらに、バッグ本体の裏側面に折り畳み式の椅子を設ける必要がないため、バッグの裏側がすっきりとし、バッグを手提げ状態または肩掛け状態にしたとき、折り畳んだ椅子が体にこすれて不快感を抱くということがなくなる。
【考案を実施するための最良の形態】
【０００８】
本考案の好適な実施例においては、バッグ本体の厚さ方向の短い４辺の枠体部分を、それぞれパイプターンバックル形式にする。この実施例の場合、バッグの中身の量に合わせて厚さを増減でき、中身をしっかりと保持することができるようになる。
【０００９】
また、本考案の好適な実施例においては、裏側矩形枠部分のＵ字状インサートの抜き差し側とは反対側のコーナー部分に折り畳み式キャスター手段を設ける。この実施例によれば、中身が多くてバッグが重たくなったとき、このバッグを選択的にキャスターバッグとして使用することもできる。
【００１０】
次に、図面につき、本考案の好適な実施例を詳細に示す。
【実施例１】
【００１１】
図１に本考案の好適な実施例のスツール機能付きバッグ１を示す。本考案スツール機能付きバッグ１は、内部空間にアクセスするチャック開閉式出し入れ口２を設けた横長大表面を表側面３Ａとする平行六面体のバッグ本体３を有する。
【００１２】
また、バッグ１は、このバッグ本体３の各稜辺に掛合してバッグ本体３を固定保持するようパイプを接ぎ合わせてなる平行六面体の枠体４を有する。バッグ１は、バッグ本体３において把手５Ａを設けた側面が頂面となり、この側面に対向する反対側面が底面となる横長の横置き状態を通常の使用形態とするが、縦長にして把手５Ｂにより持ち運びしてもよい。
【００１３】
バッグ１は、さらに、図１に示すように平行六面体を縦長の縦置き状態にしたときの頂面側に関し、バッグ本体３の表側面３Ａおよび裏側面３Ｂのそれぞれの矩形枠部分４Ａ及び４Ｂに対して段階的に抜き差し可能な１対のＵ字状インサート６を設ける。これら表裏１対のＵ字状インサート間に座面手段７を設ける。
【００１４】
この座面手段７は、例えば、図２（ａ），（ｂ）に示すように、矩形枠部分４ＡにおけるＵ字状インサート６のクロスバー６Ａに回動自在に設けた剛性プラスチック等のハードプレート８とするか、または、図２（ｃ），（ｄ）に示すように、Ｕ字状インサート６のクロスバー６Ａに嵌挿する筒状部を有する可撓性生地９とすることができる。この可撓性生地９には、把手５Ｂが露出できる開口９Ａを設ける。
【００１５】
Ｕ字状インサート６には、図３に示すように、このＵ字状インサートを抜き差しの各段階において矩形枠部分４Ａ，４Ｂに釈放自在にロックするロック手段１０を設ける。このロック手段１０は、Ｕ字状インサート６のクロスバー６Ａに設けたトリガ手段１１と、パイプ内部に通したワイヤ１２を介してトリガ手段１１に連結したＵ字状インサート６の脚部分６Ｂに設けた係止ピン手段１３とにより構成する。
【００１６】
係止ピン手段１３は、脚部分６Ｂにおけるパイプの外向き壁部分に設けた開口で突出及び後退する１対の係止ピン１３Ａと、これら１対の係止ピン１３Ａをそれぞれ外方に押圧ばね１３Ｂとにより構成する。
【００１７】
押圧ばね１３Ｂによって外方に突出した係止ピン１３Ａは、それぞれ枠体４の矩形枠部分４Ａ及び４Ｂの対応する部分に設けた開口に突入し、これにより、Ｕ字状インサート６は枠体４の矩形枠部分４Ａ及び４Ｂにロックされる。
【００１８】
トリガ手段１１のトリガブロック１１Ａを引き絞るとき、ワイヤ１２を介してスライダ１１Ｂが上方に移動する。このとき、押圧ばね１３Ｂが収縮して１対の係止ピン１３Ａが後退する。これにより、Ｕ字状インサート６は枠体４の矩形枠部分４Ａ及び４Ｂに対して抜き差しできる。
【００１９】
図４に、Ｕ字状インサート６を枠体４の矩形枠部分４Ａ及び４Ｂから適切に抜き出してバッグ１をスツールとして機能させた状態を示す。この状態では、ユーザー１４は、股関節を深く折り曲げることなく、また腹部を強く圧迫することもなく、楽に座ることができる。図示のように、壁際にバッグ１を置いて、ユーザー１４が壁にもたれかかれるようにすると好適である。
【００２０】
本考案の好適な実施例においては、バッグ本体３が柔軟な生地で形成した場合、図１に示すように、バッグ１の厚さ方向の短い４辺の枠体部分４Ｃを、それぞれパイプターンバックル形式にする。この実施例では、バッグの中身の量に合わせて厚さを増減でき、中身をしっかりと保持することができるようになる。
【００２１】
さらに、本考案の好適な実施例においては、図示しないが、裏側面における矩形枠部分４ＢのＵ字状インサートの抜き差し側とは反対側のコーナー部分に折り畳み式キャスター手段を設ける。この実施例によれば、中身が多くてバッグが重たくなったとき、このバッグを選択的にキャスターバッグとして使用することもできる。
【産業上の利用可能性】
【００２２】
本考案は、通勤用のショルダーバッグ、ビジネスバッグ又は旅行用バッグ等の製品として利用できる。
【図面の簡単な説明】
【００２３】
【図１】本考案の好適な実施例のスツール機能付きバッグの斜視図である。
【図２】本考案スツール機能付きバッグの座面手段の説明図であり、（ａ）および（ｂ）はそれぞれ第１実施例の部分正面図および側面図、（ｃ）および（ｄ）はそれぞれ第２実施例の部分正面図および側面図である。
【図３】本考案スツール機能付きバッグのロック手段の説明図である。
【図４】本考案スツール機能付きバッグをスツールとして機能させた状態を示す説明図である。
【符号の説明】
【００２４】
１  スツール機能付きバッグ
２  チャック開閉式出し入れ口
３  バッグ本体
３Ａ  バッグ本体の表側面
３Ｂ  バッグ本体の裏側面
４  枠体
４Ａ  枠体の矩形枠部分
４Ｂ  枠体の矩形枠部分
４Ｃ  厚さ方向の短い４辺の枠体部分
５Ａ  把手
５Ｂ  把手
６  Ｕ字状インサート
６Ａ  Ｕ字状インサートのクロスバー
６Ｂ  Ｕ字状インサートの脚部分
７  座面手段
８  ハードプレート
９  可撓性生地
１０  ロック手段
１１  トリガ手段
11Ａ  トリガブロック
11Ｂ  スライダ
１２  ワイヤ
１３  係止ピン手段
13Ａ  係止ピン
13Ｂ  押圧ばね
１４  ユーザー
【図１】
0003106076.tif 000003
【図２】
0003106076.tif 000004
【図３】
0003106076.tif 000005
【図４】
0003106076.tif 000006